(57)【要約】【課題】本発明は、普通紙に対する発色性に優れ、且つ分散性及び保存安定性に優れる水性顔料分散体を提供することにある。【解決手段】本発明は、キナクリドン系顔料、塩基性化合物、水溶性有機溶剤、ならびに、芳香族環式構造または複素環式構造と、アニオン性基とを有する酸価５０〜１２０ｍｇＫＯＨ／ｇのラジカル共重合体を含有し、前記キナクリドン系顔料に対する前記ラジカル共重合体の質量比率が０．００１〜０．１００の範囲であることを特徴とする水性顔料分散体に関するものである。【選択図】なし【特許請求の範囲】
【請求項１】
キナクリドン系顔料、塩基性化合物、水溶性有機溶剤、ならびに、芳香族環式構造または複素環式構造と、アニオン性基とを有する酸価５０〜１２０ｍｇＫＯＨ／ｇのラジカル共重合体を含有し、前記キナクリドン系顔料に対する前記ラジカル共重合体の質量比率が０．００１〜０．１００の範囲であることを特徴とする水性顔料分散体。
【請求項２】
前記ラジカル共重合体の重量平均分子量が２０００〜４００００の範囲である請求項１に記載の水性顔料分散体。
【請求項３】
キナクリドン系顔料、塩基性化合物、水溶性有機溶剤、ならびに、芳香族環式構造または複素環式構造と、アニオン性基とを有する酸価５０〜１２０ｍｇＫＯＨ／ｇのラジカル共重合体を含む混合物を水に分散させる工程を有し、前記キナクリドン系顔料に対する前記ラジカル共重合体の質量比率が０．００１〜０．１００の範囲であることを特徴とする水性顔料分散体の製造方法。
【請求項４】
前記混合物が、キナクリドン系顔料、塩基性化合物、水溶性有機溶剤及びラジカル共重合体を、混練することによって得られた混練物である、請求項３に記載の水性顔料分散体の製造方法。
【請求項５】
前記ラジカル共重合体の重量平均分子量が２０００〜４００００の範囲である請求項３または４に記載の水性顔料分散体の製造方法。
【発明の詳細な説明】
【技術分野】
【０００１】
本発明は、赤色ないしマゼンタ色の水性顔料分散体及びその製造方法に関する。
【背景技術】
【０００２】
オフィス用途に使用されるインクジェットプリンターには、様々なメディアが使用される。なかでも特に消費量が多いのはリサイクル紙を含む普通紙である。表面加工されたインクジェット専用の普通紙も存在するが、高コストであることから、安価なリサイクル普通紙に比べると消費量は少ない。
【０００３】
光沢紙やブローシャ紙等の表面コート紙はインクが紙の表面に堆積するが、普通紙ではインクが紙の内部に浸透するため印刷物の濃度が低くなる傾向がある。これは普通紙に色材が浸透しないトナー印刷方式と比較してインクジェット印刷方式が劣る点の一つである。この課題を改善すべく、インク凝集成分を含む透明インクを事前に印刷する方法や、高濃度インクを吐出するという方法が取られている。しかしオフィス用インクジェットプリンター等の汎用印刷分野においては、コストと性能の観点から、透明インクや高濃度インク等が使用されることは稀であり、したがって紙内部に浸透したとしても高濃度に発色するインクが求められている。
【０００４】
インクジェット記録用マゼンタインク用の色材として汎用のキナクリドン系顔料は、分散の難しい顔料として知られており、これまで本出願人らは、キナクリドン系顔料の分散性及び保存安定性を課題として検討を重ねてきた。例えば特許文献１では、キナクリドン系顔料の一次粒子の平均粒子径を特定することで、高温で長期間放置しても粒径の増大が少なく、且つ粘度上昇も少なく印字安定性の優れたインクを得ている。また特許文献２では、キナクリドン系顔料、キナクリドンスルホン酸系化合物と、特定の分子量と酸価を有するスチレン系樹脂とを組み合わせることで、高温で長期間放置しても粒径の増大が少なく、且つ粘度上昇も少なく印字安定性の優れたインクを得ている。
しかしながらこれまで、普通紙に対する発色性については評価されてこなかった。
【０００５】
被記録材上での記録画像の耐水性や耐光性が良好なインクジェット記録用インクとして知られる水性顔料インクは、普通紙上で高い発色性を得る為に、色材である顔料の紙への浸透を抑制することが効果的である。キナクリドン系顔料を用いたインクジェット記録用インクにおいて、普通紙に対する発色性を検討したものとして、特許文献３には、キナクリドン系顔料と、アミド基を含む水不溶性ビニルポリマーと、アミド基を含まない水不溶性ビニルポリマーとを含有するインク組成物が記載されている。
【０００６】
しかしながら、アミド基を含むポリマーを使用したインクは、樹脂の自己凝集を起こす場合があり、凝集物がノズルを閉塞させたり、特にサーマル方式のインクジェットプリンターにおいてはヒーター上の焦げの原因となり、インク吐出不良を引き起こしたりすることがあった。
【先行技術文献】
【特許文献】
【０００７】
【特許文献１】特開２０１４−０２８９６５号公報
【特許文献２】特開２００５−０４８０１２号公報
【特許文献３】特開２００７−９０１４号公報
【発明の概要】
【発明が解決しようとする課題】
【０００８】
本発明は、普通紙に対する発色性に優れ、且つ分散性及び保存安定性に優れる水性顔料分散体を提供することにある。
【課題を解決するための手段】
【０００９】
本発明者らは、普通紙に対する発色性を得るためには、インクが紙に着弾した直後に顔料分散性を急激に低下させて顔料の浸透速度を下げ、できるだけ紙の浅い部分（インクが着弾した面に近い部分）に顔料を固着させることが効果的ではないかと推定し、鋭意検討を行った。その結果、顔料分散性に寄与する共重合体の使用量を低減し、且つ顔料分散用共重合体の酸価を低減させることで、上記課題を解決した。
【００１０】
通常、顔料分散用共重合体は、顔料に対し使用量が減るほど、顔料分散性は不安定となる傾向にあった。特許文献１の段落００２９では、キナクリドン系顔料とキナクリドン系顔料誘導体からなる分散助剤との合計１００質量部に対するスチレンアクリル系共重合体の使用量は５〜５０質量部であることが好ましい旨記載があり、スチレンアクリル系共重合体の使用量が５質量部未満であると、インクジェット記録用水性顔料分散体の分散性及び保存安定性が低下するとともにインクジェット記録用水性顔料分散体を用いてインクジェット記録用インク組成物を調製したとき、耐摩擦性が低下する傾向にあることが開示されている。
【００１１】
このように、普通紙に対する発色性と分散性及び保存安定性とはトレードオフの関係であったが、この相反する課題を両立する手段として、顔料分散用共重合体の酸価を特定の範囲とすることを見出した。
【００１２】
、
すなわち、本発明は、キナクリドン系顔料、塩基性化合物、水溶性有機溶剤、ならびに、芳香族環式構造または複素環式構造と、アニオン性基とを有する酸価５０〜１２０ｍｇＫＯＨ／ｇのラジカル共重合体を含有し、前記キナクリドン系顔料に対する前記ラジカル共重合体の質量比率が０．００１〜０．１００の範囲であることを特徴とする水性顔料分散体に関するものである。
【００１３】
また、本発明は、キナクリドン系顔料、塩基性化合物、水溶性有機溶剤、ならびに、芳香族環式構造または複素環式構造と、アニオン性基とを有する酸価５０〜１２０ｍｇＫＯＨ／ｇのラジカル共重合体を含む混合物を水に分散させる工程を有し、前記キナクリドン系顔料に対する前記ラジカル共重合体の質量比率が０．００１〜０．１００の範囲であることを特徴とする水性顔料分散体の製造方法に関するものである。
【発明の効果】
【００１４】
本発明により、普通紙に対する発色性に優れ、且つ分散性及び保存安定性に優れる水性顔料分散体を得ることができる。
【発明を実施するための形態】
【００１５】
本発明において、水性顔料分散体とは、顔料が水等の溶媒に分散した状態のものを指す。前記水性顔料分散体は、水性顔料インクを製造する際に使用する材料、または、水性顔料インクそのものを指す場合がある。
【００１６】
前記水性顔料分散体としては、顔料濃度が１０〜５０質量％の範囲に調整されたものを使用することができる。前記水性顔料分散体に適宜、水または添加剤を添加し、顔料濃度０．１〜２０質量％となるように希釈するのみで、インクを得ることができる。
【００１７】
（キナクリドン系顔料を含む顔料）
本発明で使用する顔料は、キナクリドン系顔料を含有するものである。前記キナクリドン系顔料とともに、顔料誘導体等の分散助剤を組み合わせ含有する使用する場合、本発明で使用する顔料は、前記キナクリドン系顔料と前記分散助剤との合計を指す。
【００１８】
前記キナクリドン系顔料としては、公知慣用のものがいずれも使用でき、具体例としては、Ｃ．Ｉ．ピグメントレッド１２２等のジメチルキナクリドン系顔料、Ｃ．Ｉ．ピグメントレッド２０２、Ｃ．Ｉ．ピグメントレッドレッド２０９等のジクロロキナクリドン系顔料、Ｃ．Ｉ．ピグメントバイオレット１９等の無置換キナクリドン、及びこれらの顔料から選ばれる少なくとも２種以上の顔料の混合物もしくは固溶体を挙げることができる。顔料の形態は粉末状、顆粒状あるいは塊状の乾燥顔料でもよく、ウェットケーキやスラリーでもよい。
【００１９】
キナクリドン系顔料と組み合わせ使用可能な顔料誘導体からなる分散助剤としては、顔料の技術分野において通常使用されるキナクリドン系、アゾ系等の顔料誘導体を使用することができる。前記顔料誘導体は、前記顔料にジアルキルアミノメチル基、アリールアミドメチル基、スルホン酸アミド基、スルホン酸基及びその塩、フタルイミド基などの顔料と親和性を有する官能基が導入された化合物であり、前記顔料の分散性を高める効果がある。
【００２０】
前記分散助剤としては、キナクリドン系顔料誘導体を使用することが好ましい。キナクリドン系顔料誘導体としては、キナクリドン系顔料にジアルキルアミノメチル基、アリールアミドメチル基、スルホン酸アミド基、スルホン酸基及びその塩、フタルイミド基等が導入された顔料誘導体があげられる。
【００２１】
前記キナクリドン系顔料１００質量部に対する前記分散助剤の含有量は１質量部以上であることが好ましく、２〜１５質量部であることがより好ましい。前記分散助剤の含有量が上記の範囲であると、得られる水性顔料分散体やインクジェット記録用インク組成物の保存安定性が良好である。特にサーマルジェット方式のプリンターで印字した際のインク吐出状態が良好である。更に、凝集物の発生をより低減させるためには、分散助剤の含有量は１０質量部以下とすることがなお好ましい。
【００２２】
前記キナクリドン系顔料は、その一次粒子径が１μｍ以下のものからなる顔料が好ましく、１０ｎｍ〜２５０ｎｍであるものを使用することがより好ましく、５０ｎｍ〜２００ｎｍであるものを使用することが最も好ましい。なお、上記一次粒子径の測定は、例えば透過型電子顕微鏡（ＴＥＭ）又は走査型電子顕微鏡（ＳＥＭ）を使用して測定した平均粒子径の値を採用することができる。
【００２３】
前記キナクリドン系顔料は、前記顔料及び顔料誘導体等の分散助剤との合計量に対して５質量％以上使用することが好ましく、１０質量％以上使用することがより好ましく、２０質量％以上使用することがさらに好ましく、３０質量％以上使用することが、より一層優れた分散性及び保存安定性を備え、発色性に優れた印刷物を形成可能な水性顔料分散体を得るうえで最も好ましい。
【００２４】
前記キナクリドン系顔料は、ドライパウダー及びウェットケーキのいずれも用いることができる。また、これらの顔料は、単独で用いてもよく、２種類以上を組み合わせて用いてもよい。
【００２５】
また前記キナクリドン系顔料は、分散処理後に体積平均粒径が１μｍ以下が好ましく、より好ましくは１０ｎｍ〜１８０ｎｍであることがなお好ましく、４０ｎｍ〜１５０ｎｍであることが最も好ましい。また顔料は固溶体であってもよく、２種類以上の顔料を混合して使用してもよい。
【００２６】
（ラジカル共重合体）
前記ラジカル共重合体としては、芳香族乾式構造または複素乾式構造と、アニオン性基とを有する酸価５０〜１２０ｍｇＫＯＨ／ｇのラジカル共重合体を使用する。
【００２７】
前記ラジカル共重合体は、前記した顔料を水等の溶媒中に安定して分散させるために使用する。
【００２８】
前記ラジカル共重合体としては、芳香族乾式構造または複素乾式構造を有するものを使用する。これにより、顔料表面への吸着効果を有するインクの製造可能な水性顔料分散体を得ることができる。
【００２９】
また、前記ラジカル共重合体としては、アニオン性基を有するものを使用する。これにより、親水効果を有するインクの製造可能な水性顔料分散体を得ることができる。
【００３０】
前記ラジカル共重合体としては、酸価が５０〜１２０ｍｇＫＯＨ／ｇのものを使用する。これにより、表面が疎水性の顔料を水中で安定して分散する効果を有するインクの製造可能な水性顔料分散体を得ることができる。前記酸価は、７０〜１２０ｍｇＫＯＨ／ｇの範囲内であることが好ましく、８０〜１２０ｍｇＫＯＨ／ｇの範囲内にあることがより好ましい。
【００３１】
なお、酸価は、日本工業規格「Ｋ００７０：１９９２．  化学製品の酸価、けん化価、エステル価、よう素価、水酸基価及び不けん化物の試験方法」に従って測定された数値であり、前記ラジカル共重合体１ｇを完全に中和するのに必要な水酸化カリウムの量（ｍｇ）である。
【００３２】
前記ラジカル共重合体としては、芳香族環式構造または複素環式構造を有する単量体と、アニオン性基を有する単量体を重合することによって製造することができる。
【００３３】
芳香族環式構造を有する単量体としては、例えばスチレン、ｐ−ｔｅｒｔ−ブチルジメチルシロキシスチレン、ｏ−メチルスチレン、ｐ−メチルスチレン、ｐ−ｔｅｒｔ−ブチルスチレン、ｐ−ｔｅｒｔ−ブトキシスチレン、ｍ−ｔｅｒｔ−ブトキシスチレン、ｐ−ｔｅｒｔ−（１−エトキシメチル）スチレン、ｍ−クロロスチレン、ｐ−クロロスチレン、ｐ−フロロスチレン、α−メチルスチレン、ｐ−メチル−α−メチルスチレン等のスチレン系単量体、ビニルナフタレン、ビニルアントラセン等が挙げられる。
【００３４】
複素環式構造を有する単量体としては、例えば２−ビニルピリジン、４−ビニルピリジン等のビニルピリジン系単量体が挙げられる。
【００３５】
前記芳香族環式構造または複素環式構造を有する単量体は、単独で使用しても２種以上を組み合わせ使用してもよい。
【００３６】
前記芳香族環式構造または複素環式構造を有する単量体としては、スチレン、α−メチルスチレン、ｔｅｒｔ−ブチルスチレン等のスチレン系単量体を用いることが、顔料表面への吸着効果を奏するうえで好ましく、スチレンを使用することがより好ましい。
【００３７】
前記芳香族環式構造または複素環式構造を有する単量体は、前記ラジカル共重合体の製造に使用する単量体の全量に対して、６０〜９５質量％の範囲で使用することが好ましく、７０〜９０質量％の範囲で使用することが、水性顔料分散体の分散性及び保存安定性をより一層向上させることができ、また、普通紙に印刷した場合に画像濃度の高い印刷物を形成可能なインクを製造できるため、より好ましい。
【００３８】
前記アニオン性基としては、例えばカルボキシル基、スルホン酸基または燐酸基等が挙げられ、カルボキシル基が好ましい。
【００３９】
前記カルボキシル基を有する単量体としては、例えばアクリル酸またはメタクリル酸を使用することができる。
【００４０】
前記単量体としては、本発明の効果を損なわない範囲で、アニオン性基を有する単量体のほかに、必要に応じて、その他の単量体を併用することができる。
【００４１】
前記その他の単量体としては、具体的には、メチル（メタ）アクリレート、ｎ−プロピル（メタ）アクリレート、イソプロピル（メタ）アクリレート、ｎ−ブチル（メタ）アクリレート、ｓｅｃ−ブチル（メタ）アクリレート、ｔｅｒｔ−ブチル（メタ）アクリレート、２−エチルブチル（メタ）アクリレート、１，３−ジメチルブチル（メタ）アクリレート、ヘキシル（メタ）アクリレート、２−エチルヘキシル（メタ）アクリレート、オクチル（メタ）アクリレート、エチル（メタ）アクリレート、ｎ−ブチル（メタ）アクリレート、２−メチルブチル（メタ）アクリレート、ペンチル（メタ）アクリレート、ヘプチル（メタ）アクリレート、ノニル（メタ）アクリレート、３−エトキシプロピル（メタ）アクリレート、３−エトキシブチル（メタ）アクリレート、ジメチルアミノエチル（メタ）アクリレート、２−ヒドロキシエチル（メタ）アクリレート、２−ヒドロキシブチル（メタ）アクリレート、エチル−α−（ヒドロキシメチル）（メタ）アクリレート、ジメチルアミノエチル（メタ）アクリレート、ヒドロキシエチル（メタ）アクリレート、ヒドロキシプロピル（メタ）アクリレート、フェニル（メタ）アクリレート、ベンジル（メタ）アクリレート、フェニルエチル（メタ）アクリレート、ジエチレングリコール（メタ）アクリレート、トリエチレングリコール（メタ）アクリレート、ポリエチレングリコール（メタ）アクリレート、グリセリン（メタ）アクリレート、ビスフェノールＡ（メタ）アクリレート、マレイン酸ジメチル、マレイン酸ジエチル、酢酸ビニル等を単独または２種以上組み合わせ使用することができる。
【００４２】
前記アニオン性基を有する単量体は、前記ラジカル共重合体の酸価を前記した範囲内とするうえで、５〜４０質量％となる範囲で使用することが好ましく、１０〜３０質量％の範囲で使用することがより好ましい。
【００４３】
また、前記その他の単量体としては、架橋性を有する単量体を使用することができる。
【００４４】
前記架橋性を有する単量体としては、例えば、エチレングリコールジ（メタ）アクリレート、プロピレングルコールジ（メタ）アクリレート、ポリエチレングリコールジ（メタ）アクリレート、ポリ（オキシエチレンオキシプロピレン）グリコールジ（メタ）アクリレート、グリセリンのアルキレンオキシド付加物のトリ（メタ）アクリレート等の多価アルコールのポリ（メタ）アクリレート；グリシジル（メタ）アクリレート、ジビニルベンゼン等が挙げられる。
【００４５】
なお、前記ラジカル共重合体としては、前記顔料の表面への吸着がより強固となるため、前記芳香族環式構造または複素環式構造を有する単量体及び前記カルボキシル基を有する単量体以外の、その他の単量体の使用量は、２０質量％以下が好ましく、１０質量％が更に好ましく、１質量％以下が最も好ましい。
【００４６】
前記ラジカル共重合体としては、線状（リニア）である重合体、分岐（グラフト）した構造を有する重合体、架橋した構造を有する重合体を使用することができる。前記ラジカル共重合体としては、ランダム型やブロック型の重合体を使用することができる。
【００４７】
前記ラジカル共重合体は、例えば塊状重合法、溶液重合法、懸濁重合法、乳化重合法等の方法で製造することができる。その際、必要に応じて公知慣用の重合開始剤、連鎖移動剤（重合度調整剤）、界面活性剤及び消泡剤を使用することができる。
【００４８】
重合開始剤としては、例えば、２，２’−アゾビス（２，４−ジメチルバレロニトリル）、２，２’−アゾビスイソブチロニトリル、１，１’−アゾビス（シクロヘキサン−１−カルボニトリル）、ベンゾイルパーオキサイド、ジブチルパーオキサイド、ブチルパーオキシベンゾエート等が挙げられる。前記重合開始剤は、前記ラジカル重合体の製造に使用する単量体の全量に対して０．１〜１０質量％の範囲で使用することが好ましい。
【００４９】
なお、本発明では、前記ラジカル重合の際の各単量体のラジカル重合率（反応率）は、ほぼ同一とし、各単量体の使用割合（仕込み割合）が、ラジカル重合体を構成する各単量体由来の構造単位の割合と同一であるとみなした。
【００５０】
前記ラジカル共重合体としては、具体的にはスチレン−（メタ）アクリル酸系共重合体やスチレン−（メタ）アクリル酸エステル−（メタ）アクリル酸共重合体を使用することが好ましく、スチレン−（メタ）アクリル酸系共重合体を使用することが、より一層優れた分散安定性を備え、発色性に優れた印刷物を形成可能な水性顔料分散体を得るうえで特に好ましい。
【００５１】
前記スチレン−（メタ）アクリル酸共重合体としては、スチレン−アクリル酸共重合体、スチレン−メタクリル酸共重合体、スチレン−アクリル酸−メタクリル酸共重合体のいずれも使用できるが、スチレン−アクリル酸−メタクリル酸共重合体を使用することが、前記単量体の共重合性が向上して、重合体の均一性が向上し、その結果、より微粒子化された、分散安定性に優れた顔料分散体が得られるため好ましい。
【００５２】
前記スチレン−（メタ）アクリル酸共重合体としては、その製造に使用する単量体の全量に対するスチレンとアクリル酸とメタクリル酸との合計量が８０質量％以上であるものを使用することが好ましく、８５質量％以上がより好ましく、９０質量％以上のものを使用することがさらに好ましい。
【００５３】
また、前記スチレン−アクリル酸系重合体としては、リニア重合体、グラフト重合体のどちらも使用することができる。
【００５４】
前記グラフト重合体としては、（メタ）アクリル酸および／またはスチレンとを含む単量体の共重合体が分岐鎖または主鎖を構成し、ポリスチレンやエポキシ、エチレンオキサイド、プロピレンオキサイドなどのアルキレンオキサイド鎖、ビスフェノール、長鎖アルキルなどの疎水性側鎖で構成するグラフト共重合体が挙げられる。スチレン−アクリル酸系重合体は、このグラフト重合体とリニア重合体の混合物であってもよい。
【００５５】
前記方法で得られたラジカル共重合体としては、重量平均分子量が２０００〜４００００の範囲内であるものを使用することが好ましく、５０００〜３００００の範囲内にあるものを使用することがより好ましく、５０００〜２００００の範囲内のものを使用することがさらに好ましく、７０００〜１５０００範囲内にあるものを使用することが、
前記範囲内の重量平均分子量を有するラジカル共重合体を使用することによって、水性顔料分散体の長期保存安定性に優れ、顔料の凝集などによる沈降が発生しにくい傾向となり、インクの吐出安定性に優れたインクの製造に使用可能な水性顔料分散体を得ることができる。
【００５６】
ここで重量平均分子量とはＧＰＣ（ゲル浸透クロマトグラフィー）法で測定される値であり、標準物質として使用するポリスチレンの分子量に換算した値である。
【００５７】
本発明の水性顔料分散体としては、前記キナクリドン系顔料を含む顔料に対する前記ラジカル共重合体の質量比率が０．００１〜０．１００の範囲であるものを使用する。これにより、普通紙に対する高発性及び顔料の分散性及び水性顔料分散体の保存安定性を向上させることができる。
【００５８】
なお、前記キナクリドン系顔料を含む顔料に対する前記ラジカル共重合体の質量比率の算出に際し使用する「キナクリドン系顔料を含む顔料」の質量は、前記分散助剤を使用する場合であればキナクリドン系顔料と分散助剤との合計質量を指す。また、前記キナクリドン系顔料以外の顔料を使用する場合であれば、前記質量はキナクリドン系顔料とその他の顔料との合計質量を指す。
【００５９】
前記キナクリドン系顔料を含む顔料に対する前記ラジカル共重合体の質量比率は、０．０１０〜０．１００の範囲内であることが好ましく、０．０４０〜０．１００の範囲内にあることが、普通紙に対する発色性に優れ、且つ分散性及び保存安定性に優れたインクの製造に使用可能な水性顔料分散体を得るうえで好ましい。
【００６０】
本発明の水性顔料分散体は、前記キナクリドン系顔料を含む顔料に対する前記ラジカル共重合体の質量比率が小さいため、前記ラジカル共重合体で分散された顔料は、水中で安定であるが刺激には弱い。
【００６１】
そのため、前記水性顔料分散体を用いて得られたインクは、普通紙に着弾した際に受ける大きな外部刺激により、前記ラジカル共重合体で分散された顔料は急激に凝集すると推定される。凝集した顔料は普通紙の内部に浸透しにくくなり、普通紙の表面付近に固着されるので、発色性に優れた印刷物が得られるのではないかと推定される。
【００６２】
なお、前記ラジカル共重合体を、本願の範囲を著しく越えて使用すると、顔料分散性は著しく悪化する傾向にある。この理由は明らかではないが、使用量が増しても、顔料に吸着する前記ラジカル共重合体量には限りがあるため、吸着されない余剰の前記ラジカル共重合体が増え、これが凝集等の要因になっていると推定している。
【００６３】
（塩基性化合物）
本発明で使用する塩基性化合物は、前記ラジカル共重合体のアニオン性基を中和する目的で使用する。塩基性化合物としては公知のものを使用でき、例えばカリウム、ナトリウムなどのアルカリ金属の水酸化物；カリウム、ナトリウムなどのアルカリ金属の炭酸塩；カルシウム、バリウムなどのアルカリ土類金属などの炭酸塩；水酸化アンモニウム等の無機系塩基性化合物や、トリエタノールアミン、Ｎ，Ｎ−ジメタノールアミン、Ｎ−アミノエチルエタノールアミン、ジメチルエタノールアミン、Ｎ−Ｎ−ブチルジエタノールアミンなどのアミノアルコール類、モルホリン、Ｎ−メチルモルホリン、Ｎ−エチルモルホリンなどのモルホリン類、Ｎ−（２−ヒドロキシエチル）ピペラジン、ピペラジンヘキサハイドレートなどのピペラジン等の有機系塩基性化合物が挙げられる。なかでも、塩基性化合物としては、水酸化カリウム、水酸化ナトリウム、水酸化リチウムに代表されるアルカリ金属水酸化物は、水性顔料分散体の低粘度化に寄与し、インクジェット記録用インクの吐出安定性の面から好ましく、特に水酸化カリウムが好ましい。
【００６４】
これらを使用した前記アニオン性基の中和率は特に限定はないが、未中和状態のラジカル共重合体の凝集物の生成を抑えるために一般に８０〜１２０％となる範囲で行うことが好ましい。なお本発明において、中和率とは以下の式で計算される。
【００６５】
中和率（％）＝［｛塩基性化合物の質量（ｇ）×５６．１１×１０００｝／｛ラジカル重合体の酸価（ｍｇＫＯＨ／ｇ）×塩基性化合物の当量×ラジカル重合体の質量（ｇ）｝］×１００
【００６６】
本願においては、顔料分散時の水の量を考慮した方が好ましく、その場合、前記塩基性化合物は通常水溶液として配合することから、水の量は該塩基性化合物水溶液の水も考慮して決定する。
【００６７】
（水溶性有機溶剤）
本発明で使用する水溶性有機溶剤としては、例えば、アセトン、メチルエチルケトン、メチルブチルケトン、メチルイソブチルケトン等の炭素原子数が３〜６のケトン類；メタノール、エタノール、イソプロピルアルコール、１−プロパノール、２−プロパノール、１−ブタノール、２−ブタノール、ブチルアルコール、ペンチルアルコール、２−プロパノール、２−メチル−１−プロパノール、２−メトキシエタノール等の炭素原子数１〜５のアルコール類；テトラヒドロフラン、１，４−ジオキサン、１，２−ジメトキシエタン等のエーテル類；ジメチルホルムアミド、２−ピロリドン、Ｎ−メチルピロリドン、Ｎ−（２−ヒドロキシエチル）ピロリドン等のラクタム類エチレングリコール、ジエチレングリコール、トリエチレングリコール、テトラエチレングリコール、プロピレングリコール、ポリエチレングリコール、ポリプロピレングリコール等のグリコール類；ブタンジオール、ペンタンジオール、ヘキサンジオール、およびこれらと同族のジオール等のジオール類；ラウリン酸プロピレングリコール等のグリコールエステル；ジエチレングリコールモノエチル、ジエチレングリコールモノブチル、ジエチレングリコールモノヘキシルの各エーテル、プロピレングリコールエーテル、ジプロピレングリコールエーテル、トリエチレングリコールエーテルを含むセロソルブ等のグリコールエーテル類；スルホラン；γ−ブチロラクトンなどのラクトン類；グリセリン及びその誘導体、ポリオキシエチレンベンジルアルコールエーテル等を、単独または２種以上組み合わせ使用することができる。
【００６８】
なかでも、前記水溶性有機溶剤としては、前記グリコール類やジオール類を使用することが好ましく、高沸点で低揮発性で高表面張力のグリコール類やジオール類を使用することが湿潤剤としてはたらくためより好ましく、ジエチレングリコール、トリエチレングリコールを使用することが特に好ましい。
【００６９】
（水）
本発明で使用する水は、イオン交換水、限外濾過水、逆浸透水、蒸留水等の純水、または超純水を用いることができる。また、紫外線照射、または過酸化水素添加などにより滅菌した水を用いることにより得られた水性顔料分散体やそれを使用したインク等は長期保存する場合にカビまたはバクテリアの発生を防止することができるので好適である。
【００７０】
前記水は、本発明の水性顔料分散体の全量に対して、６０質量％〜８０質量％の範囲で含まれることが好ましい。
【００７１】
（水性顔料分散体の製造方法）
本発明の水性顔料分散体の製造方法は、キナクリドン系顔料を含む顔料、塩基性化合物、水溶性有機溶剤、及び前記ラジカル共重合体を含む混練物を水に分散させる工程を有する。
【００７２】
前記混練物を得る工程は、特に限定されず公知の分散方法で行うことができる。例えば、ペイントシェーカー、ビーズミル、サンドミル、ボールミル等のメディアを使用するメディアミル分散法；超音波ホモジナイザー、高圧ホモジナイザー、ナノマイザー、アルティマイザー等を使用したメディアレス分散法；ロールミル、ヘンシェルミキサー、加圧ニーダー、インテンシブミキサー、バンバリーミキサー、プラネタリーミキサー等の混練分散法等が挙げられる。このうち混練分散法は、顔料を含有する高固形分濃度の混合物に混練機で強い剪断力を与えることによって顔料粒子を微細化させる方法であり、顔料濃度の高い混練物を得ることができ、且つ粗大粒子の低減に有効な方法であり好ましい。前記混練分散法においては、水は、全固形分に対し５０質量％以下で含むかあるいは水を含まないことが好ましい。
【００７３】
前記混練分散法は、キナクリドン系顔料を含む顔料、塩基性化合物、水溶性有機溶剤、及び、前記ラジカル共重合体の混合物を混練する。このときの混合物の仕込み順序には特に限定はなく全量を同時に仕込んで混合を開始してもよいし、各々を少量ずつ仕込んでもよいし、例えばラジカル共重合体と塩基性化合物と顔料とを仕込んだのち水溶性有機溶剤を仕込む等、原料によって仕込み順を変えてもよい。各々の原料の仕込み量は前述の範囲で行うことができる。なお塩基性化合物は通常水溶液として配合することから、混練分散中の水の量は該塩基性化合物水溶液の水も考慮して決定することが好ましい。
【００７４】
混練分散法のメリットである強い剪断力を混合物に与えるためには、該混合物の固形分比率が高い状態で混練するほうが好ましく、より高い剪断力を該混合物に加えることができる。固形分比率としては、２０〜１００質量％が好ましく、３０〜９０質量％がより好ましく、４０〜８０質量％が最も好ましい。２０質量％未満では混合物の粘度が低下するため、混練が十分に行われず、顔料の解砕が不十分となるおそれがある。そして、固形分比率をこのように高めることによって混練中の混練物の粘度を適度に高く保ち、混練中の混練機から混練物にかかる負荷を大きくして、混練物中の顔料の粉砕と顔料のラジカル共重合体による被覆を同時に進行させることができる。
【００７５】
混練時の温度は混練物に十分な剪断力が加わるように、使用するラジカル共重合体のガラス転移点等の温度特性を考慮して適宜調整を行うことができる。例えばラジカル共重合体がスチレン−アクリル酸系共重合体の場合、ガラス転移点より低く、かつ該ガラス転移点との温度差が５０℃より小さい範囲で行うことが好ましい。このような温度範囲で混練を行うことにより、混練温度の上昇による共重合体の溶融に伴う混練物の粘度低下によって剪断力が不足することがない。
【００７６】
混練工程に用いる混練装置としては、固形分比率の高い混合物に対して高い剪断力を発生させることのできるものであればよく、前述したような公知の混練装置の中から選択して用いることが可能であるが、二本ロール等の撹拌槽を有しない開放型の混練機を用いるよりは、撹拌槽と撹拌羽根を有し撹拌槽を密閉可能な混練装置を用いることが好ましい。このような装置としては、ヘンシェルミキサー、加圧ニーダー、バンバリーミキサー、プラネタリーミキサーなどが例示され、特にプラネタリーミキサーなどが好適である。本発明においては、好ましくは顔料濃度と顔料とラジカル共重合体からなる固形分濃度が高い状態で混練を行うため、混練物の混練状態に依存して混練物の粘度が広い範囲で変化するが、プラネタリーミキサーは二本ロール等と比較すると、広い範囲の粘度領域で混練処理が可能であり、更に水性媒体の添加及び減圧溜去も可能であるため、混練時の粘度及び負荷剪断力の調整が容易である。
【００７７】
前記混合物を混練した混練物を水に分散させる工程においては、例えば撹拌槽と撹拌羽根を有し撹拌槽を密閉可能な混練装置を使用しておれば、混練後続いて水を添加することが可能である。ここで使用する水は、前記水単独で使用する他、前記水溶性有機溶剤を併用していてもよい。
【００７８】
このようにして得た水性顔料分散体は、用途にもよるが、通常、顔料濃度が１０〜５０質量％となるように調整されたものであると、インク化しやすいため好ましい。具体的には、前記濃度の水性顔料分散体と、水や前記水以外の溶媒とを混合し、顔料濃度を０．１〜２０質量％となるように希釈することによって、容易にインクを得ることができる。
【００７９】
前記水性顔料分散体の製造方法としては、例えば前述のように撹拌槽を有する混練機で顔料混練物を製造した後、該撹拌槽に水性媒体を添加、混合し、必要に応じて撹拌して直接希釈することにより水性顔料分散体を製造できる。また、撹拌翼を備えた別の攪拌機で固体の顔料分散体と水を混合し、必要に応じて撹拌して水性顔料分散体を調製できる。
【００８０】
前記水は、顔料混練物に対して必要量を一括混合してもよいが、連続的あるいは断続的に必要量を添加して混合した方が、希釈が効率的に行われ、より短時間で水性顔料分散体を作製することができる。
【００８１】
また、得られた水性顔料分散体を、更に分散機により分散処理しても良い。分散機としては、ペイントシェーカー、ビーズミル、ロールミル、サンドミル、ボールミル、アトライター、バスケットミル、サンドミル、サンドグラインダー、ダイノーミル、ディスパーマット、ＳＣミル、スパイクミル、アジテーターミル、ジュースミキサー、高圧ホモジナイザー、超音波ホモジナイザー、ナノマイザー、デゾルバー、ディスパー、高速インペラー分散機、ニーダー、プラネタリーミキサーなどがあげられる。
【００８２】
以上の方法で得られた水性顔料分散体に含まれる粒子の体積平均粒子径は、５０ｎｍから３００ｎｍであることが好ましく、１００ｎｍから２００ｎｍであることが優れた分散性および保存安定性を備え、発色性に優れた印刷物を形成するうえで最も好ましい。
【００８３】
前記水性顔料分散体は、自動車や建材用の塗料分野や、オフセットインキ、グラビアインキ、フレキソインキ、シルクスクリーンインキ等の印刷インキ、あるいはインクジェット記録用インク等の製造に使用することができる。
【００８４】
本発明の水性顔料分散体をインクジェット記録用インクに適用する場合、前記水性顔料分散体に、さらに水、水溶性有機溶剤等の水以外の溶媒、バインダーとしてアクリル系共重合体やポリウレタン系樹脂、必要に応じて乾燥抑止剤、浸透剤、界面活性剤等のその他の添加剤を添加することによってインクジェット記録用インクを得ることができる。前記インクの製造途中または製造後に、遠心分離あるいは濾過処理してもよい。
【００８５】
前記乾燥抑止剤は、インクの乾燥防止を目的として使用することができる。乾燥抑止剤のインク中の含有量は３〜５０質量％であることが好ましい。
【００８６】
前記本発明で使用する乾燥抑止剤としては特に限定はないが、水との混和性がありインクジェットプリンターのヘッドの目詰まり防止効果が得られるものが好ましい。例えば、グリセリン、エチレングリコール、ジエチレングリコール、トリエチレングリコール、トリエチレングリコールモノ−ｎ−ブチルエーテル、分子量２０００以下のポリエチレングリコール、プロピレングリコール、ジプロピレングリコール、トリプロピレングリコール、１，３−プロピレングリコール、イソプロピレングリコール、イソブチレングリコール、１，４−ブタンジオール、１，３−ブタンジオール、１，５−ペンタンジオール、１，６−ヘキサンジオール、メソエリスリトール、ペンタエリスリトール、２−ピロリドン、Ｎ−メチルピロリドン、Ｎ−（２−ヒドロキシエチル）ピロリドンなどのラクタム類等が挙げられる。なかでもグリセリン、トリエチレングリコール、トリエチレングリコールモノ−ｎ−ブチルエーテル、２−ピロリドンを含むことが安全性を有し、かつインク乾燥性、吐出性能に優れた効果が見られる。
【００８７】
なお、該乾燥防止剤は、水性顔料分散体で使用する前述の水溶性有機溶剤と同じ化合物を使用することができる。従って水性顔料分散体に既に水溶性有機溶剤を使用している場合、乾燥防止剤としての役割を兼ねることできる。
【００８８】
前記浸透剤は、記録媒体への浸透性改良や記録媒体上でのドット径調整を目的として添加する。
【００８９】
浸透剤としては、例えばエタノール、イソプロピルアルコール等の低級アルコール；エチレングリコールヘキシルエーテル、ジエチレングリコールブチルエーテル、プロピレングリコールプロピルエーテル等のアルキルアルコールのグリコールモノエーテルが挙げられる。インク中の浸透剤の含有量は０．０１〜１０質量％であることが好ましい。
【００９０】
前記界面活性剤は、表面張力等のインク特性を調整するために使用する。界面活性剤は特に限定されるものではなく、各種のアニオン性界面活性剤、ノニオン性界面活性剤、カチオン性界面活性剤、両性界面活性剤などが挙げられ、これらの中では、アニオン性界面活性剤、ノニオン性界面活性剤が好ましい。
【００９１】
アニオン性界面活性剤としては、例えば、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられ、これらの具体例として、ドデシルベンゼンスルホン酸塩、イソプロピルナフタレンスルホン酸塩、モノブチルフェニルフェノールモノスルホン酸塩、モノブチルビフェニルスルホン酸塩、ジブチルフェニルフェノールジスルホン酸塩などを挙げることができる。
【００９２】
ノニオン性界面活性剤としては、例えば、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、脂肪酸アルキロールアミド、アルキルアルカノールアミド、アセチレングリコール、アセチレングリコールのオキシエチレン付加物、ポリエチレングリコールポリプロピレングリコールブロックコポリマー、等を挙げることができ、これらの中では、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、アセチレングリコール、アセチレングリコールのオキシエチレン付加物、ポリエチレングリコールポリプロピレングリコールブロックコポリマーが好ましい。
【００９３】
その他の界面活性剤としては、ポリシロキサンオキシエチレン付加物のようなシリコーン系界面活性剤；パーフルオロアルキルカルボン酸塩、パーフルオロアルキルスルホン酸塩、オキシエチレンパーフルオロアルキルエーテルのようなフッ素系界面活性剤；スピクリスポール酸、ラムノリピド、リゾレシチンのようなバイオサーファクタント等も使用することができる。
【００９４】
これらの界面活性剤は、単独で用いることもでき、又２種類以上を混合して用いることもできる。界面活性剤を添加する場合は、その添加量はインクの全質量に対し、０．００１〜２質量％の範囲が好ましく、０．００１〜１．５質量％であることがより好ましく、０．０１〜１質量％の範囲であることがさらに好ましい。
【００９５】
また、前記水性顔料分散体としては、必要に応じて防腐剤、粘度調整剤、ｐＨ調整剤、キレート剤、可塑剤、酸化防止剤、紫外線吸収剤等を含有するものを使用することができる。
【００９６】
（記録媒体）
インクジェット記録用水性インクの記録媒体としては特に限定はなく、複写機で一般的に使用されているコピー用紙（ＰＰＣ紙）等の吸収性の記録媒体、インクの吸収層を有する記録媒体、インクの吸収性を有しない非吸水性の記録媒体、インクの吸水性の低い難吸収性の記録媒体などがありうる。
【００９７】
吸収性の記録媒体の例としては、例えば普通紙、布帛、ダンボール、木材等があげられる。また吸収層を有する記録媒体の例としては、インクジェット専用紙等のインクジェット専用普通紙があげられ、この具体例としては、例えば、株式会社ピクトリコのピクトリコプロ・フォトペーパーやＥＰＳＯＮ株式会社のプロフェッショナルフォトペーパー等が挙げられる。
【００９８】
インクの吸収性を有しない非吸水性の記録媒体の例には、例えば食品用の包装材料に使用されているもの等を使用することができ、公知のプラスチックフィルムが使用できる。具体例としては、ポリエチレンテレフタレートやポリエチレンナフタレート等のポリエステルフィルム、ポリエチレンやポリプロピレン等のポリオレフィンフィルム、ナイロン等のポリアミド系フィルム、ポリスチレンフィルム、ポリビニルアルコールフィルム、ポリ塩化ビニルフィルム、ポリカーボネートフィルム、ポリアクリロニトリルフィルム、ポリ乳酸フィルム等が挙げられる。特にポリエステルフィルム、ポリオレフィンフィルム、ポリアミド系フィルムが好ましく、さらにポリエチレンテレフタレート、ポリプロピレン、ナイロンが好ましい。またバリア性を付与するためのポリ塩化ビニリデン等のコーティングをした上記フィルムでもよいし、必要に応じてアルミニウム等の金属、あるいはシリカやアルミナ等の金属酸化物の蒸着層を積層したフィルムを併用してもよい。
【００９９】
前記プラスチックフィルムは、未延伸フィルムであってもよいが、１軸もしくは２軸方向に延伸されたものでも良い。さらにフィルムの表面は、未処理であってもよいが、コロナ放電処理、オゾン処理、低温プラズマ処理、フレーム処理、グロー放電処理等、接着性を向上させるための各種処理を施したものが好ましい。
【０１００】
前記プラスチックフィルムの膜厚は用途に応じて適宜変更されるが、例えば軟包装用途である場合は、柔軟性と耐久性、耐カール性を有しているものとして、膜厚が１０μｍ〜１００μｍであることが好ましい。より好ましくは１０μｍ〜３０μｍである。この具体例としては、東洋紡株式会社のパイレン（登録商標）などが挙げられる。
【０１０１】
インクの吸水性の低い難吸収性の記録媒体には、印刷本紙などのアート紙、コート紙、軽量コート紙、微塗工紙などが使用できる。これら難吸収性の記録媒体は、セルロースを主体とした一般に表面処理されていない上質紙や中性紙等の表面にコート材を塗布してコート層を設けたものであり、王子製紙（株）製の「ＯＫエバーライトコート」及び日本製紙（株）製の「オーロラＳ」等の微塗工紙、王子製紙（株）製の「ＯＫコートＬ」及び日本製紙（株）製の「オーロラＬ」等の軽量コート紙（Ａ３）、王子製紙（株）製の「ＯＫトップコート＋」及び日本製紙（株）製の「オーロラコート」等のコート紙（Ａ２、Ｂ２）、王子製紙（株）製の「ＯＫ金藤＋」及び三菱製紙（株）製の「特菱アート」等のアート紙（Ａ１）等が挙げられる。
【実施例】
【０１０２】
（ラジカル共重合体Ａ）
ラジカル共重合体Ａは、溶液重合で製造された粉体状（直径１ｍｍ以下）の共重合体であり、単量体組成比は、スチレン／アクリル酸／メタクリル酸／ブチルアクリレート＝９２．８０／７．００／０．１０／０．１０（質量比）であり、重量平均分子量８５００、酸価５１ｍｇＫＯＨ／ｇである、ガラス転移点９５℃。
【０１０３】
（ラジカル共重合体Ｂ）
ラジカル共重合体Ｂは、溶液重合で製造された粉体状（直径１ｍｍ以下）の共重合体であり、単量体組成比は、スチレン／アクリル酸／メタクリル酸／ブチルアクリレート＝８８．４０／０．１０／１１．４０／０．１０（質量比）であり、重量平均分子量８０００、酸価７２ｍｇＫＯＨ／ｇ、ガラス転移点１０１℃である。
【０１０４】
（ラジカル共重合体Ｃ）
ラジカル共重合体Ｃは、溶液重合で製造された粉体状（直径１ｍｍ以下）の共重合体であり、単量体組成比は、スチレン／アクリル酸／メタクリル酸／ブチルアクリレート＝８５．４０／０．１０／１４．４０／０．１０（質量比）であり、重量平均分子量１１０００、酸価８８ｍｇＫＯＨ／ｇ、ガラス転移点１１２℃である。
【０１０５】
（ラジカル共重合体Ｄ）
ラジカル共重合体Ｄは、溶液重合で製造された粉体状（直径１ｍｍ以下）の共重合体であり、単量体組成比は、スチレン／アクリル酸／メタクリル酸／ブチルアクリレート＝８３．００／７．３５／９．５５／０．１０（質量比）であり、重量平均分子量１１０００、酸価１１７ｍｇＫＯＨ／ｇ、ガラス転移点１２１℃である。
【０１０６】
（ラジカル共重合体Ｅ）
ラジカル共重合体Ｅは、溶液重合で製造された粉体状（直径１ｍｍ以下）の共重合体であり、単量体組成比は、スチレン／アクリル酸／メタクリル酸＝７４．００／１１．２６／１４．６４／０．１０（質量比）であり、重量平均分子量１１０００、酸価１７３ｍｇＫＯＨ／ｇ、ガラス転移点１３０℃である。
【０１０７】
（ラジカル共重合体Ｆ）
ラジカル共重合体Ｆは、溶液重合で製造された粉体状（直径１ｍｍ以下）の共重合体であり、単量体組成比は、スチレン／アクリル酸／メタクリル酸＝５６．００／１９．０９／２４．８１／０．１０（質量比）であり、重量平均分子量６０００、酸価１７３ｍｇＫＯＨ／ｇ、ガラス転移点１２９℃である。
【０１０８】
なお、本発明における重量平均分子量は、ＧＰＣ（ゲル浸透クロマトグラフィー）法で測定される値であり、標準物質として使用するポリスチレンの分子量に換算した値である。なお測定は以下の装置及び条件により実施した。
【０１０９】
送液ポンプ：ＬＣ−９Ａ
システムコントローラー：ＳＬＣ−６Ｂ
オートインジェクター：Ｓ１Ｌ−６Ｂ
検出器：ＲＩＤ−６Ａ
以上島津製作所社製
データ処理ソフト：Ｓｉｃ４８０ＩＩデータステーション（システムインスツルメンツ社製）。
カラム：ＧＬ−Ｒ４００（ガードカラム）＋ＧＬ−Ｒ４４０＋ＧＬ−Ｒ４５０＋ＧＬ−Ｒ４００Ｍ（日立化成工業社製）
溶出溶媒：ＴＨＦ
溶出流量：２ｍｌ／ｍｉｎ
カラム温度：３５℃
【０１１０】
（実施例１  水性顔料分散体の製造方法）
ラジカル共重合体Ａを５質量部、キナクリドン系顔料として「ＦＡＳＴＯＧＥＮ  Ｓｕｐｅｒ  Ｍａｇｅｎｔａ  ＲＹ（ＤＩＣ社製）略称：ＲＹ」４８．７５質量部、キナクリドン系顔料誘導体としてフタルイミド化メチル付加物１．２５質量部、プラネタリーミキサー（商品名：ケミカルミキサーＡＣＭ０４ＬＶＴＪ−Ｂ  株式会社愛工舎製作所製）に仕込み、ジャケットを加温し、内容物温度が８０℃に達した後、自転回転数：８０回転／分、公転回転数：２５回転／分で混合した。５分後、トリエチレングリコールを５０質量部、３４質量％水酸化カリウム水溶液を０．７５質量部加えた。
【０１１１】
プラネタリーミキサーの電流値が最大電流値を示してから１２０分を経過した時点まで混練を継続し混練物を得た。尚、この時の顔料に対する前記ラジカル共重合体の質量比率（Ｒ／Ｐ）は０．１００である。
【０１１２】
得られた混練物８０質量部をジャケットから取出し、１ｃｍ角状に切断した後、市販のジューサーミキサーに入れた。そこにイオン交換水８０質量部を加え１０分間ミキサーにかけて混合、希釈しイオン交換水に分散させた。
【０１１３】
さらにイオン交換水とトリエチレングリコールを加え、キナクリドン系顔料濃度１４．５質量％、前記顔料に対するトリエチレングリコール濃度が１００質量％の水性顔料分散体を得た。
【０１１４】
（インクジェット記録用水性インクの製造方法）
得られた水性顔料分散体を純水で顔料濃度１２質量％に希釈し、該希釈液に対して以下を配合し、顔料濃度６質量％のインクジェット記録用水性インクを作製した。
水性顔料分散体の水希釈液：５０質量部
２−ピロリジノン：８質量部
トリエチレングリコール：４質量部
トリエチレングリコールモノ−ｎ−ブチルエーテル：８質量部
精製グリセリン：３質量部
サーフィノール４４０  （エアープロダクツ社製）：０．５質量部
純水：２６．５質量部
【０１１５】
（実施例２）
ラジカル共重合体Ｂを２．２５質量部、３４質量％水酸化カリウム水溶液を０．４８質量部使用した以外は、実施例１と同様にして水性顔料分散体及びインクジェット記録用水性インクを得た。前記顔料に対する前記ラジカル共重合体の質量比率（Ｒ／Ｐ）は０．０４５であった。
【０１１６】
（実施例３）
ラジカル共重合体Ｂを５．００質量部、３４質量％水酸化カリウム水溶液を１．０６質量部使用した以外は、実施例１と同様にして水性顔料分散体及びインクジェット記録用水性インクを得た。前記顔料に対する前記ラジカル共重合体の質量比率（Ｒ／Ｐ）は０．１００であった。
【０１１７】
（実施例４）
ラジカル共重合体Ｃを２．２５質量部、３４質量％水酸化カリウム水溶液を０．５８質量部使用した以外は、実施例１と同様にして水性顔料分散体及びインクジェット記録用水性インクを得た。前記顔料に対する前記ラジカル共重合体の質量比率（Ｒ／Ｐ）は０．０４５であった。
【０１１８】
（実施例５）
ラジカル共重合体Ｃを２．５質量部、３４質量％水酸化カリウム水溶液を０．６５質量部使用した以外は、実施例１と同様にして水性顔料分散体及びインクジェット記録用水性インクを得た。前記顔料に対する前記ラジカル共重合体の質量比率（Ｒ／Ｐ）は０．０５０であった。
【０１１９】
（実施例６）
ラジカル共重合体Ｃを５．００質量部、３４質量％水酸化カリウム水溶液を１．２９質量部使用した以外は、実施例１と同様にして水性顔料分散体及びインクジェット記録用水性インクを得た。前記顔料に対する前記ラジカル共重合体の質量比率（Ｒ／Ｐ）は０．１００であった。
【０１２０】
（実施例７）
ラジカル共重合体Ｄを５．００質量部、トリエチレングリコール４５質量部、３４質量％水酸化カリウム水溶液を１．７２質量部使用した以外は、実施例１と同様にして水性顔料分散体及びインクジェット記録用水性インクを得た。前記顔料に対する前記ラジカル共重合体の質量比率（Ｒ／Ｐ）は０．１００であった。
【０１２１】
（比較例１）
ラジカル共重合体Ｄを１０．００質量部、トリエチレングリコールを４５質量部、３４質量％水酸化カリウム水溶液を３．４４質量部使用した以外は、実施例１と同様にして水性顔料分散体及びインクジェット記録用水性インクを得た。前記顔料に対する前記ラジカル共重合体の質量比率（Ｒ／Ｐ）は０．２００であった。
【０１２２】
（比較例２）
ラジカル共重合体Ｅを５．００質量部、トリエチレングリコールを３５質量部、３４質量％水酸化カリウム水溶液を２．５４質量部使用した以外は、実施例１と同様にして水性顔料分散体及びインクジェット記録用水性インクを得た。前記顔料に対する前記ラジカル共重合体の質量比率（Ｒ／Ｐ）は０．１００であった。
【０１２３】
（比較例３）
ラジカル共重合体Ｅを１０．００質量部、トリエチレングリコールを３５質量部、３４質量％水酸化カリウム水溶液を５．０９質量部使用した以外は、実施例１と同様にして水性顔料分散体及びインクジェット記録用水性インクを得た。前記顔料に対する前記ラジカル共重合体の質量比率（Ｒ／Ｐ）は０．２００であった。
【０１２４】
（比較例４）
ラジカル共重合体Ｆを２．００質量部、トリエチレングリコールを３０質量部、３４質量％水酸化カリウム水溶液を１．６２質量部使用した以外は、実施例１と同様にして水性顔料分散体及びインクジェット記録用水性インクを得た。前記顔料に対する前記ラジカル共重合体の質量比率（Ｒ／Ｐ）は０．０４０であった。
【０１２５】
（比較例５）
ラジカル共重合体Ｆを５．００質量部、トリエチレングリコールを３０質量部、３４質量％水酸化カリウム水溶液を４．０４質量部使用した以外は、実施例１と同様にして水性顔料分散体及びインクジェット記録用水性インクを得た。前記顔料に対する前記ラジカル共重合体の質量比率（Ｒ／Ｐ）は０．１００であった。
【０１２６】
以上の実施例、比較例で作製した水性顔料分散体の評価を以下の方法を用いて行った。
【０１２７】
（水性顔料分散体の評価）
〔体積平均粒子径の測定方法〕
はじめに、実施例及び比較例で調製した水性顔料分散体を、イオン交換水で１０００倍に希釈した。
【０１２８】
次に、希釈後の水性顔料分散体の約４ｍｌをセルにいれ、マイクロトラック・ベル（株）社製ナノトラック粒度分布計「ＵＰＡ１５０」を用い、２５℃環境下で、レーザー光の散乱光を検出することにより、体積平均粒子径（ＭＶ）を測定した。
【０１２９】
前記体積平均粒子径を３回測定し平均値を算出した。平均値の一桁目を切り捨てた値を、体積平均粒子径の値（単位：ｎｍ）とした。
【０１３０】
〔粗大粒子数の測定方法〕
はじめに、実施例及び比較例で調製した水性顔料分散体を、イオン交換水で５００〜１０００倍に希釈した。
【０１３１】
次に、Ｐａｒｔｉｃｌｅ  Ｓｉｚｉｎｇ  Ｓｙｓｔｅｍｓ社製、個数カウント方式  粒度分布計（Ａｃｃｕｓｉｚｅｒ  ７８０  ＡＰＳ）を用い、前記希釈後の水性顔料分散体に含まれる直径０．５μｍ以上の粒子数を３回測定した。
【０１３２】
次に、前記測定値に、それぞれ希釈濃度を乗じることによって、粗大粒子数を算出した。次に、上記方法で算出した３つの粗大粒子数の平均値を算出し、その値を実施例及び比較例で調製した水性顔料分散体の粗大粒子数とした。
【０１３３】
（水性顔料分散体の保存安定性の評価方法）
水性顔料分散体をポリプロピレン容器に密封し、常温で４週間保存した後の体積平均粒子径の変化率を〔平均粒子径測定方法〕と同様の方法で測定した。水性顔料分散体の体積平均粒子径の変化率が１０％以内であれば保存安定性は良好であると判断する。
【０１３４】
〔印刷濃度の測定方法〕
はじめに、製造後２４時間以上静置したインクジェット記録用水性インクを、市販のインクジェットプリンターのカートリッジに充填し、リサイクル紙とインクジェット専用紙（ＩＪ専用紙）とＯＨＰフィルムに、画像濃度設定１００％設定の印刷パターンを印刷した。
【０１３５】
次に、Ｘ−Ｒｉｔｅ社製の「ｅＸａｃｔ」で前記印刷パターンを測色し、印刷パターンのＣ＊（彩度）、及び、Ｃ＊をＬ＊（明度）で除した値（Ｃ＊／Ｌ＊）を算出した。
【０１３６】
次に、日本分光社製「Ｖ‐６６０」を用いて、前記印刷前のＯＨＰフィルムをブランクとして、前記印刷後のＯＨＰフィルムの印刷面の波長５７０ｎｍにおける吸光度（Ａｂｓ．）を測定し、インク打ち込み量の指標とした。なお、波長５７０ｎｍの吸光度の値が高いほどインク吐出量が多いことを示す。
【０１３７】
次に、前記値（Ｃ＊／Ｌ＊）と、吸光度（Ａｂｓ．）と、評価値＝［値（Ｃ＊／Ｌ＊）／吸光度（Ａｂｓ．）］の式に基づき、実施例及び比較例で得たインクジェット記録用水性インクの評価値を算出し、その値に基づいて印刷濃度を評価した。
【０１３８】
なお、上記評価値は、単位インク吐出量あたりの印刷濃度を表し、評価値が高いほど色が濃く見える（高評価）ことを示す。
【０１３９】
水性顔料分散体及びインクジェット記録用水性インクの評価結果を表１に示す。
【０１４０】
【表１】
2017110197.tif 000002
【０１４１】
この結果、実施例１〜６の水性顔料分散体は、粗大粒子数が少なく、保存安定性が良好であることが明らかである。また本発明における水性顔料分散体を使用したインクジェット記録用インクは、リサイクル紙、インクジェット専用紙共に（Ｃ＊／Ｌ＊）を（Ａｂｓ．）で除した単位インク吐出量あたりの印刷面濃度が高い値を示した。